(57)【要約】【課題】原料土と土質改良材とを混合撹拌する混合装置を備えてなる土質改良機において、混合装置のケーシング内の整備や清掃等のメンテナンス作業を、容易に行えるようにする。【解決手段】縦置き円筒形状のケーシング１２を、該ケーシング１２の直径方向両端部に立設される二本の支柱１１Ａ、１１Ｂを境として二つの分割ケース１２Ａ、１２Ｂに分割すると共に、各分割ケース１２Ａ、１２Ｂを支柱１１Ａ、１１Ｂに開閉揺動自在に支持せしめ、さらに、各分割ケース１２Ａ、１２Ｂと支柱１１Ａ、１１Ｂとの間に、分割ケース１２Ａ、１２Ｂを開閉揺動せしめるための開閉用シリンダ２３Ａ、２３Ｂを設けた。【選択図】図３
2007117819.tif 000002
【特許請求の範囲】
【請求項１】
原料土と土質改良材とを混合撹拌する混合装置を備えてなる土質改良機において、前記混合装置のケーシングを、ケーシングの支柱に開閉自在に支持される複数の分割ケースを用いて構成したことを特徴とする土質改良機における混合装置。
【請求項２】
混合装置のケーシングを縦置き円筒形状にすると共に、該ケーシングは、縦方向に複数に分割された複数の分割ケースから構成され、さらに各分割ケースは、縦方向を向く支柱に開閉揺動自在に支持されることを特徴とする請求項１に記載の土質改良機における混合装置。
【請求項３】
支柱と分割ケースとのあいだに、分割ケースを開閉せしめるためのアクチュエータを設けたことを特徴とする請求項１または２に記載の土質改良機における混合装置。
【発明の詳細な説明】
【技術分野】
【０００１】
本発明は、軟弱な土壌等の原料土を土質改良して再利用するための土質改良機における混合装置の技術分野に属するものである。
【背景技術】
【０００２】
近年、資源再利用促進の背景の下、軟弱な土壌等の原料土に固化材等の土質改良材を混合して土質改良し、このものを改良土として再利用する土質改良機のニーズが広がっている。
前記土質改良機は、一般に、原料土ホッパに投入された原料土を供給する原料土供給装置、改良材ホッパに投入された土質改良材を供給する改良材供給装置、原料土と土質改良材とを混合撹拌して改良土にする混合装置、混合装置から排出される改良土を搬出する改良土搬出装置等を備えて構成される。
ところで、前記土質改良機の混合装置としては、ケーシング内に、原料土と土質改良材とを撹拌するための回転子（撹拌翼、パドル、ハンマ等）を設けたものが知られているが、この様な混合装置において、回転子のあいだに原料土が詰まったり、あるいは硬い原料土との衝突によって回転子が破損したような場合には、詰まった原料土を除去したり、回転子を交換する等の整備が必要となる。また、セメント系固化材等の土質改良材は、作業終了後に放置しておくと固まってケーシング内面や回転子に固着してしまうため、作業終了時にはケーシング内を清掃する必要がある。このため、従来から、ケーシングに点検口を設け、該点検口から整備や清掃等のメンテナンス作業を行っていたが、従来の点検口はこれら作業を行うのに十分な開口スペースではなく、作業性に劣るという問題がある。
そこで、ケーシングを、開口部を有する固定ケースと、該固定ケースの開口部に開閉揺動自在に支持される可動ケースとで構成し、該可動ケースを開くことで、メンテナンス作業を行いやすくした技術が提唱されている（例えば、特許文献１参照。）。
【特許文献１】特開平１１−１７２７１７号公報
【発明の開示】
【発明が解決しようとする課題】
【０００３】
しかるに、前記特許文献１のものは、可動ケースによって固定ケースの開口部を開閉するものであるから、固定ケース内のうち開口部に対して奥方に位置する部分は、依然として整備や清掃等のメンテナンス作業を行いづらく、作業性に劣るという問題があり、ここに本発明が解決しようとする課題がある。
【課題を解決するための手段】
【０００４】
本発明は、上記の如き実情に鑑みこれらの課題を解決することを目的として創作されたものであって、請求項１の発明は、原料土と土質改良材とを混合撹拌する混合装置を備えてなる土質改良機において、前記混合装置のケーシングを、ケーシングの支柱に開閉自在に支持される複数の分割ケースを用いて構成したことを特徴とする土質改良機における混合装置である。
そして、この様にすることにより、点検整備や清掃等のメンテナンス作業を行う場合に、ケーシングの何れの部分も開けることができることになって、メンテナンス作業を容易に行うことができ、作業性を大幅に向上させることができる。さらに、分割ケースは支柱に開閉自在に支持される構成であるから、確実且つ強固に支持せしめることができる。
請求項２の発明は、混合装置のケーシングを縦置き円筒形状にすると共に、該ケーシングは、縦方向に複数に分割された複数の分割ケースから構成され、さらに各分割ケースは、縦方向を向く支柱に開閉揺動自在に支持されることを特徴とする請求項１に記載の土質改良機における混合装置である。
そして、この様にすることにより、縦置き円筒形状のケーシングを、支柱に開閉自在に支持される複数の分割ケースで構成できると共に、各分割ケースの開閉を容易に行うことができる。
請求項３の発明は、支柱と分割ケースとのあいだに、分割ケースを開閉せしめるためのアクチュエータを設けたことを特徴とする請求項１または２に記載の土質改良機における混合装置である。
そして、この様にすることにより、分割ケースを開閉せしめるためのアクチュエータを、コンパクトな納り状態で設けることができる。
【発明を実施するための最良の形態】
【０００５】
次に、本発明の実施の形態について、図面に基づいて説明する。図１において、１は自走式土質改良機であって、該自走式土質改良機１は、クローラ式の下部走行体２、図示しないエンジンや油圧ポンプ等が収納される動力室３、改良するべき原料土が投入される原料土ホッパ４、該原料土ホッパ４に投入された原料土を搬送する原料土フィーダ５、石灰系固化材やセメント系固化材等の土質改良材が投入、貯溜される改良材ホッパ６、該改良材ホッパ６に投入された土質改良材を搬送するスクリューフィーダ７、原料土フィーダ５により供給される原料土とスクリューフィーダ７により供給される土質改良材とを混合撹拌して改良土にする混合装置８、該混合装置８から排出される改良土を搬出する搬出コンベア９等を備えて構成されている。
【０００６】
前記混合装置８は、図２、図３に示すように、機体フレーム１０に取付支持される二本の縦方向を向く支柱１１Ａ、１１Ｂ、これら支柱１１Ａ、１１Ｂに組付けられる後述のケーシング１２、支柱１１Ａ、１１Ａの上端部に支持される状態でケーシング１２の上方を覆蓋するアッパーカバー１３、軸芯が上下方向を向き、且つ上下端部がアッパーカバー１３および両支柱１１Ａ、１１Ｂの下端部間に支架される支持フレーム１４に軸回り方向回転自在に支持される回転軸１５、該回転軸１５を回転せしめるべく駆動する油圧モータ１６、回転軸１５と油圧モータ１６とを連結するカップリング１７、上下方向及び周回り方向に所定間隔を存する状態で回転軸１５に一体固定される複数の回転翼１８等から構成されている。そして、前記原料土フィーダ５から供給される原料土とスクリューフィーダ７から供給される土質改良材とは、ケーシング１２の上部に開設された供給口１２ａからケーシング１２内に投入され、落下しながら回転翼１８により解砕混合撹拌されることで改良土となって、ケーシング１２の下方開口１２ｂから搬出コンベア９上に落下するように構成されている。
【０００７】
前記混合装置８のケーシング１２は、全体として上下が開口した縦置き円筒形状をしており、また二本の支柱１１Ａ、１１Ｂは、ケーシング１２の直径方向両端部に立設されているが、該ケーシング１２は、支柱１１Ａ、１１Ｂを境として縦方向に二分割された二つの分割ケース１２Ａ、１２Ｂによって構成されている。そして、一方の分割ケース１２Ａの一端側は、一方の支柱１１Ａに、支柱側第一ブラケット１９およびケース側第一ブラケット２０を介してピン軸２１により水平方向揺動自在に軸支される（本実施の形態では上下方向三箇所でピン軸支２１されているが、これに限定されない）と共に、分割ケース１２Ａの他端側には他方の支柱１１Ｂに当接するフランジ部１２Ａａが形成されており、該フランジ部１２Ａａが他方の支柱１１Ｂにボルト２２を介して着脱自在に止着されている（本実施の形態では上下方向四箇所でボルト２２止めされるようになっているが、これに限定されない）。また他方の分割ケース１２Ｂは、同様にして一端側が他方の支柱１１Ｂにピン軸２１を介して水平方向揺動自在に軸支されると共に、他端側に形成されたフランジ部１２Ｂａが一方の支柱１１Ａにボルト２２を介して着脱自在に止着されるようになっている。そして、これら分割ケース１２Ａ、１２Ｂは、他端側のフランジ部１２Ａａ、１２Ｂａを支柱１１Ｂ、１１Ａに当接せしめた状態では、円筒形状のケーシング１２を形成して混合装置８の外周側を覆蓋する閉鎖姿勢となるが、一端側のピン軸２１を支点として他端側が支柱１１Ｂ、１１Ａから離間するよう水平方向に揺動せしめることにより、混合装置８の外周側の略全域を開放する開放姿勢に変姿するようになっている。
【０００８】
さらに、２３Ａ、２３Ｂは前記分割ケース１２Ａ、１２Ｂを開閉揺動せしめるための開閉用シリンダ（本発明のアクチュエータに相当する）であって、同様のものであるため、一方の分割ケース１２Ａ用の開閉用シリンダ２３Ａを例にとって説明すると、該開閉用シリンダ２３Ａのシリンダ筒２３Ａａの中間部は、一方の支柱１１Ａに支柱側第二ブラケット２４を介して揺動自在に支持されている。また、開閉用シリンダ２３Ａのロッド２３Ａｂの先端部には、第一リンク２５および第二リンク２６の一端側が揺動自在に連結されているが、第一リンク２５の他端側は前記ピン軸２１に揺動自在に連結されており、また第二リンク２６の他端側は、ケース側第二ブラケット２７を介して分割ケース１２Ａに揺動自在に連結されている。而して、図３に示す如く、開閉用シリンダ２３Ａの伸縮作動に伴う第一、第二リンク２５、２６のリンク作動により、分割ケース１２Ａがピン軸２１を支点として水平方向に開閉揺動するように構成されており、同様にして、他方の分割ケース１２Ｂも開閉揺動するように構成されている。
【０００９】
叙述の如く構成された本形態において、原料土と土質改良材とを混合撹拌する混合装置８のケーシング１２は、全体として縦置き円筒形状をしているが、該ケーシング１２は、ケーシング１２の直径方向両端部に立設される二本の支柱１２Ａ、１２Ｂを境として縦方向に二分割された二つの分割ケース１２Ａ、１２Ｂから構成されていると共に、各分割ケース１２Ａ、１２Ｂは、支柱１１Ａ、１１Ｂに開閉揺動自在に支持されていて、開閉用シリンダ２３Ａ、２３Ｂの伸縮作動に基づき、混合装置８の外周側を覆蓋する閉鎖姿勢と開放する開放姿勢とに変姿することになる。
【００１０】
この結果、例えば回転翼１８のあいだに詰まった原料土を除去したり、損傷した回転翼１８を交換したり、あるいは作業終了後にケーシング１２の内面等を清掃する等、種々のメンテナンス作業を行う場合に、分割ケース１２Ａ、１２Ｂを開放姿勢にすることでケーシング１２の全ての部分を開けることができることになって、メンテナンス作業を容易に行うことができ、作業性を大幅に向上させることができる。
【００１１】
しかもこのものにおいて、各分割ケース１２Ａ、１２Ｂは、それぞれ支柱１１Ａ、１１Ｂに開閉揺動自在に支持されているから、分割ケース同士を揺動自在に支持せしめる場合のように一方の分割ケースに他方の分割ケースの重量がかかるようなことがなく、各分割ケース１２Ａ、１２Ｂを確実且つ強固に支持せしめることができる。
【００１２】
さらに、分割ケース１２Ａ、１２Ｂを開閉揺動せしめるための開閉用シリンダ２３Ａ、２３Ｂは、支柱１１Ａ、１１Ｂに取付支持されると共に、第一、第二リンク２５、２６を介して支柱１１Ａ、１１Ｂおよび分割ケース１２Ａ、１２Ｂに連結されているから、コンパクトな納まり状態になり、省スペース化に寄与できる。
【００１３】
尚、本発明は上記実施の形態に限定されないことは勿論であって、上記実施の形態では、縦置き円筒形状のケーシングを縦方向に二分割して二つの分割ケースにしているが、三つ以上に分割しても良く、また、種々のケーシングの形状等に対応して、縦方向以外の方向に分割することもできる。
【図面の簡単な説明】
【００１４】
【図１】自走式土質改良機の構造を示す図である。
【図２】混合装置の正面図である。
【図３】図２のＸ−Ｘ断面図である。
【符号の説明】
【００１５】
８              混合装置
１１Ａ、１１Ｂ  支柱
１２            ケーシング
１２Ａ、１２Ｂ  分割ケース
２３Ａ、２２Ｂ  開閉用シリンダ
２５            第一リンク
２６            第二リンク
【図１】
2007117819.tif 000003
【図２】
2007117819.tif 000004
【図３】
2007117819.tif 000005